(57)【要約】【課題】会議通話中に会議通話の参加者と通話を行っても、会議通話者に聞かれることなく会議通話の参加者と通話を可能にする会議システムおよび端末装置を提供する。【解決手段】会議通話中に端末装置２ｃと端末装置２ｄとの間で個別の通話が行われると、会議サーバ１から受信した音声データに基づく音声信号の出力先がＨＳ２７の受話器２７ａからＳＰ２８に切り替わり、このＳＰ２８から会議通話が出力される。これにより、端末装置２ｃ，２ｄの送話器２７ｂに入力された音声信号に基づく音声データは、会議サーバ１に出力されないので、会議サーバ１により生成される会議データには端末装置２ｃ，２ｄからの音声データが含まれない。結果として、会議通話者に聞かれることなく端末装置２ｃと端末装置２ｄとの間の個別の通話が可能となる。【選択図】  図４
2008258690.tif 000002
【特許請求の範囲】
【請求項１】
ネットワークを介して音声データの送受信を行う複数の端末装置と、前記ネットワークを介して受信した音声データを編集し、この編集した音声データを前記ネットワークに送信するサーバ装置とを備え、前記ネットワークを介して前記複数の端末装置と前記サーバ装置との間で音声データの送受信を行うことにより、前記複数の端末装置が参加する会議通話を実現する会議システムであって、
前記端末装置は、
前記ネットワークを介して各種情報の送受信を行うインターフェース部と、
音声を音声データに変換して前記インターフェース部に出力する音声データ出力部と、
音声データの送受信状態に応じて前記インターフェース部を制御する制御部と
を備え、
前記制御部は、同じ会議通話に参加している端末装置と音声データの送受信が行われると、前記インターフェース部に、前記音声データ出力部から出力された音声データを前記サーバ装置に送信させない
ことを特徴とする会議システム。
【請求項２】
前記サーバ装置は、
同じ会議通話を識別する識別情報を生成し、前記同じ会議通話に参加する端末装置に送信する識別情報生成部
を備え、
前記端末装置は、
前記識別情報に基づいて、音声データを送受信する端末装置が同じ会議通話に参加しているか否かを確認する確認部
をさらに備え、
前記制御部は、前記確認部により確認された同じ会議通話に参加している端末装置と音声データの送受信が行われると、前記インターフェース部に、前記音声データ出力部から出力された音声データを前記サーバ装置に送信させない
ことを特徴とする請求項１記載の会議システム。
【請求項３】
前記サーバ装置は、
同じ会議通話に参加する端末装置を識別する会議リストを生成し、同じ会議通話に参加する端末装置に送信する識別情報生成部
を備え、
前記端末装置は、
前記会議リストに基づいて、音声データを送受信する端末装置が同じ会議通話に参加している端末装置であるか否かを確認する確認部をさらに備え、
前記制御部は、前記確認部により確認された同じ会議通話に参加している端末装置と音声データの送受信が行われると、前記インターフェース部に、前記音声データ出力部から出力された音声データを前記サーバ装置に送信させない
ことを特徴とする請求項１記載の会議システム。
【請求項４】
ネットワークを介して複数の端末装置とサーバ装置との間で音声データの送受信を行うことにより、複数の端末装置が参加する会議通話を実現する会議システムの端末装置であって、
前記ネットワークを介して各種情報の送受信を行うインターフェース部と、
音声を音声データに変換して前記インターフェース部に出力する音声データ出力部と、
音声データの送受信状態に応じて前記インターフェース部を制御する制御部と
を備え、
前記制御部は、同じ会議通話に参加している端末装置と音声データの送受信が行われると、前記インターフェース部に、前記音声データ出力部から出力された音声データを前記サーバ装置に送信させない
ことを特徴とする端末装置。
【発明の詳細な説明】
【技術分野】
【０００１】
本発明は、複数の端末装置と同時に通話を行うことができる会議システムに関するものである。
【背景技術】
【０００２】
従来より、ネットワークを介して複数の端末装置間で同時に通話を行う会議通話を実現する会議システムが提案されている（例えば、特許文献１参照。）。このシステムにおいて会議通話を行う場合、まず、各端末装置は、通信サーバに接続し、ユーザから入力された音声に基づく音声データを通信サーバに送信する。この通信サーバでは、各端末装置から受信した音声データを編集処理して１つの音声データを生成し、これを各端末装置に返送する。返送された音声データに基づく音声を出力することにより、各端末装置では、通信サーバに接続された端末装置間で会議通話を行うことができる。
【０００３】
このような会議システムにおいて、会議通話中に着信が入った端末装置のユーザは、会議通話用の通話パスを保留にして会議通話から一旦離れることにより、その着信に応答するようにしている（例えば、特許文献２参照。）。これにより、通信サーバには、発信した相手との通話内容が出力されないので、会議通話を邪魔することなくその発信した相手との通話を行うことができる。
【０００４】
【特許文献１】特開平７−１２３０９０号公報
【特許文献２】特開平６−１４１０８４号公報
【発明の開示】
【発明が解決しようとする課題】
【０００５】
しかしながら、従来のシステムでは、会議通話用の通話パスを一旦保留にすることによって会議通話中に通信サーバ以外の相手との通話を実現するようにしていたので、会議通話者同士で会議通話と別の通話を行った場合、少なくとも二人の会議参加者が保留中の会議通話の内容を聞くことができないため、この二人が会議通話に復帰したときに会議通話の内容に支障を来すおそれがある。
【０００６】
そこで、本願発明は、会議通話中に会議通話の参加者と通話を行っても、会議通話者に聞かれることなく会議通話の参加者と通話を可能にする会議システムおよび端末装置を提供することを目的とする。
【課題を解決するための手段】
【０００７】
上述したような課題を解決するために、本発明に係る会議システムは、ネットワークを介して音声データの送受信を行う複数の端末装置と、ネットワークを介して受信した音声データを編集し、この編集した音声データをネットワークに送信するサーバ装置とを備え、ネットワークを介して複数の端末装置とサーバ装置との間で音声データの送受信を行うことにより、複数の端末装置が参加する会議通話を実現する会議システムであって、端末装置は、ネットワークを介して各種情報の送受信を行うインターフェース部と、音声を音声データに変換してインターフェース部に出力する音声データ出力部と、音声データの送受信状態に応じてインターフェース部を制御する制御部とを備え、制御部は、同じ会議通話に参加している端末装置と音声データの送受信が行われると、インターフェース部に、音声データ出力部から出力された音声データをサーバ装置に送信させないことを特徴とする。
【０００８】
上記会議システムにおいて、サーバ装置は、同じ会議通話を識別する識別情報を生成し、同じ会議通話に参加する端末装置に送信する識別情報生成部を備え、端末装置は、識別情報に基づいて、音声データを送受信する端末装置が同じ会議通話に参加しているか否かを確認する確認部をさらに備え、制御部は、確認部により確認された同じ会議通話に参加している端末装置と音声データの送受信が行われると、インターフェース部に、音声データ出力部から出力された音声データをサーバ装置に送信させないようにしてもよい。
【０００９】
また、上記会議システムにおいて、サーバ装置は、同じ会議通話に参加する端末装置を識別する会議リストを生成し、同じ会議通話に参加する端末装置に送信する識別情報生成部を備え、端末装置は、会議リストに基づいて、音声データを送受信する端末装置が同じ会議通話に参加している端末装置であるか否かを確認する確認部をさらに備え、制御部は、確認部により確認された同じ会議通話に参加している端末装置と音声データの送受信が行われると、インターフェース部に、音声データ出力部から出力された音声データをサーバ装置に送信させないようにしてもよい。
【００１０】
また、本発明に係る端末装置は、ネットワークを介して複数の端末装置とサーバ装置との間で音声データの送受信を行うことにより、複数の端末装置が参加する会議通話を実現する会議システムの端末装置であって、ネットワークを介して各種情報の送受信を行うインターフェース部と、音声を音声データに変換してインターフェース部に出力する音声データ出力部と、音声データの送受信状態に応じてインターフェース部を制御する制御部とを備え、制御部は、同じ会議通話に参加している端末装置と音声データの送受信が行われると、インターフェース部に、音声データ出力部から出力された音声データをサーバ装置に送信させないことを特徴とする。
【発明の効果】
【００１１】
本発明によれば、同じ会議通話に参加している端末装置と音声データの送受信が行うことにより個別の通話をすると、同じ会議通話に参加している端末装置と通話を行うために音声データ出力部から出力された音声データがサーバ装置に送信されないため、その個別の通話の内容が会議通話に含まれないため、結果として、会議通話者に聞かれることなく会議通話の参加者との個別の通話が可能となる。
【発明を実施するための最良の形態】
【００１２】
［会議システム］
以下、図面を参照して本発明の実施の形態について詳細に説明する。図１に示すように、本実施の形態に係る会議システムは、会議サーバ１と、端末装置２ａ〜２ｄと、公知のＳＩＰサーバ３とから構成され、それぞれは、ＬＡＮ（Local Area Network）、ＷＡＮ（Wide Area Network）、インターネット、電話回線等の通信回線からなるネットワーク４を介して接続されている。なお、本実施の形態では、４つの端末装置２ａ〜２ｄが設けられているが、端末装置２ａ〜２ｄの数量は４つに限定されず、適宜自由に設定することができる。便宜上、以下の説明において、端末装置２ａ〜２ｄを端末装置２として説明する。
【００１３】
＜会議サーバ＞
会議サーバ１は、図２に示すように、Ｉ／Ｆ部１１ａ〜１１ｄと、編集処理部１２と、制御部１３とから構成される。
【００１４】
Ｉ／Ｆ部１１ａ〜１１ｄは、通信回路からなり、通信回線１１ａ−１〜１１ｄ−１を介してネットワーク４に接続されている。これにより、ネットワーク４を介して端末装置２およびＳＩＰサーバ３とデータ通信を行い、各装置と音声データや制御信号などの各種データをやりとりする。このようなＩ／Ｆ部１１ａ〜１１ｄは、会議システムに参加する端末装置２の数量だけ設けられる。したがって、図１に示す会議システムの場合、４つの端末装置２ａ〜２ｄが設けられているので、図２に示すように４つのＩ／Ｆ部１１ａ〜１１ｄが設けられている。
【００１５】
編集処理部１２は、信号処理回路からなり、Ｉ／Ｆ部１１ａ〜１１ｄから入力された音声データを合成して１つの音声データ（以下、会議データという）を生成し、これをＩ／Ｆ部１１ａ〜１１ｄを介して各端末装置２へ送信する。
【００１６】
制御部１３は、ＣＰＵなどのマイクロプロセッサとその周辺回路からなり、会議サーバ１に設けられた記憶装置（図示せず）から動作プログラムを読み込んで実行することにより、上記ハードウェアとプログラムを協働させ、動作制御部１３ａおよび識別情報生成部１３ｂを実現させる。
【００１７】
動作制御部１３ａは、Ｉ／Ｆ部１１ａ〜１１ｃおよび編集処理部１２の動作や端末装置２ａ〜２ｃおよびＳＩＰサーバ３との間のデータ通信を制御する。
識別情報生成部１３ｂは、会議サーバ１を介して行われる会議通話や会議通話に参加する端末装置２等を識別するための情報を生成する。本実施の形態では、会議サーバ１により実現される複数の会議通話のうち、何れの会議通話であるかを識別する識別番号（以下、会議番号という）を生成する。生成した会議番号は、この会議番号に対応する会議通話に参加する端末装置２に送信される。
【００１８】
＜端末装置＞
端末装置２は、Ｉ／Ｆ部２１と、音声処理部２２と、操作入力部２３と、表示部２４と、記憶部２５と、制御部２６と、ＨＳ（Hand Set）２７と、ＳＰ（Speaker）２８とを備えている。
【００１９】
Ｉ／Ｆ部２１は、通信回路からなり、通信回線２１ａを介してネットワーク４に接続されている。これにより、ネットワーク４を介して会議サーバ１、他の端末装置２およびＳＩＰサーバ３とデータ通信を行い、各装置と音声データや制御信号などの各種データをやりとりする。このようなＩ／Ｆ部２１は、同時に複数の通話パスを確立することが可能である。これにより、例えば会議サーバ１と他の端末装置２など、同時に複数の装置との間でデータ通信を行うことができる。
【００２０】
音声処理部２２は、信号処理回路からなり、Ｉ／Ｆ部２１から入力された音声データを復号化してＨＳ２７またはＳＰ２８から出力させるとともに、ＨＳ２７から入力された音声信号を音声データに符号化してＩ／Ｆ部２１に出力する。
【００２１】
操作入力部２３は、ダイヤルキーや機能キーやフックスイッチからなり、ユーザの操作を検出して制御部２６に出力する。
【００２２】
表示部２４は、ＬＥＤ（Light Emitting Diode）やＬＣＤ（Liquid Crystal Display）などの表示装置からなり、制御部２６からの指示に応じて通話状態などの各種可視表示を行う。
【００２３】
記憶部２５は、メモリやハードディスクなどの記憶装置からなり、制御データ２５ａ、識別情報２５ｂおよびプログラム２５ｃを格納する。ここで、制御データ２５ａは、端末装置２の制御に用いる情報である。また、識別情報２５ｂは、会議サーバ１の識別情報生成部１３ｂにより生成された情報であり、本実施の形態では、端末装置２が参加する会議通話を識別する会議番号から構成される。また、プログラム２５ｃは、端末装置２の動作プログラムであり、予め記憶部２５に格納される。なお、プログラム２５ｃは、ＤＶＤ（Digital Versatile Disk）やＣＤ（Compact Disk）等の記録媒体やネットワークを介して記憶部２５に格納するようにしてもよい。
【００２４】
制御部２６は、ＣＰＵなどのマイクロプロセッサとその周辺回路からなり、記憶部２５からプログラム２５ｃを読み込んで実行することにより、上記ハードウェアとプログラム２５ｃを協働させ、呼制御部２６ａ、確認部２６ｂおよび切替部２６ｃを実現させる。
【００２５】
呼制御部２６ａは、記憶部２５の制御データ２５ａに基づいてＩ／Ｆ部２１や音声処理部２２の動作を制御することにより、他の装置との間の呼を制御する。これにより、会議サーバ１を利用した会議通話や他の端末装置との通話が実現される。このような呼制御部２６ａは、例えば会議サーバ１と他の端末装置２など、同時に複数の呼を制御することができる。
【００２６】
確認部２６ｂは、記憶部２５の識別情報２５ｂに基づいて、会議通話中の着信相手や発信相手が同じ会議通話の参加者であるか否かを確認する。
【００２７】
切替部２６ｃは、Ｉ／Ｆ部２１および音声処理部２２を制御することにより、Ｉ／Ｆ部２１を介して受信した音声データの出力先、および、送話器２７ｂを介して入力された音声データの送信先を切り替える。
【００２８】
ＨＳ（Hand Set）２７は、音声処理部２２から入力された音声信号を音声に変換して外部に出力する受話器２７ａと、ユーザ等のから発せられた音声を検出しこれを音声データに変換して音声処理部２２に入力する送話器２７ｂとから構成される。
【００２９】
ＳＰ（Speaker）２８は、音声処理部２２から入力された音声信号を音声に変換して外部に出力する。
【００３０】
［会議システムの動作］
次に、図４，図５を参照して、会議通話中における会議通話参加者との通話動作について説明する。
【００３１】
＜会議通話開始動作＞
まず、図４を参照して、会議通話を開始する際の動作について説明する。この図４においては、端末装置２ｃが中心となって端末装置２ａ〜２ｄ間での会議通話を開始する場合を例に説明する。
【００３２】
端末装置２ｃは、端末装置２ａ〜２ｄで会議通話を行う場合、会議通話を行う端末装置２ａ，２ｂを順次保留にした後（ステップＳ１，Ｓ２）、会議通話の参加者のうち保留にしていない最後の端末装置２ｄと通話を行う（ステップＳ３）。このような状態において、会議通話を要求する旨の操作入力を操作入力部２３が検出すると（ステップＳ４）、制御部２６の呼制御部２６ａは、ＳＩＰサーバ３に対して当該会議通話を要求する旨の制御信号（会議要求）を送信する（ステップＳ５）。
【００３３】
この制御信号を受信すると、ＳＩＰサーバ３は、端末装置２ａ〜２ｄに対して、会議通話の要求に対して応答し会議サーバ１のＩＰアドレス等を含む制御信号（会議応答）を送信する（ステップＳ６〜Ｓ９）。また、ＳＩＰサーバ３は、会議サーバ１に対して端末装置２ａ〜２ｄのＩＰアドレス等を含む制御信号（会議応答）を送信する（ステップＳ１０）。
【００３４】
制御信号を受信すると、会議サーバ１の制御部１３の識別情報生成部１３ｂは、端末装置２ａ〜２ｄに対して会議番号を送信する（ステップＳ１１〜Ｓ１４）。この会議番号は、記憶部２５に識別情報２５ｂとして記憶される。
【００３５】
会議番号を受信すると、端末装置２ａ〜２ｄの呼制御部２６ａは、Ｉ／Ｆ部２１、ネットワーク４およびＩ／Ｆ部１１ａ〜１１ｃを介して会議サーバ１との通話パスをそれぞれ形成し、この通話パスを用いて音声データの送受信を行う（ステップＳ１５〜Ｓ１７）。これにより、端末装置２ａ〜２ｃとの間の会議通話が実現される。
【００３６】
具体的には、端末装置２ａ〜２ｄのＨＳ２７の送話器２７ｂから入力された音声信号は、音声処理部２２により音声データに符号化され、Ｉ／Ｆ部２１およびネットワーク４を介して会議サーバ１に送信される。この会議サーバ１において、端末装置２ａ〜２ｄから受信した音声データは、端末装置２ａ〜２ｄにそれぞれ１対１に対応するＩ／Ｆ部１１ａ〜１１ｄから編集処理部１２に入力され、この編集処理部１２により１つの音声データからなる会議データに合成される。この会議データは、Ｉ／Ｆ部１１ａ〜１１ｄから対応する端末装置２ａ〜２ｄに送信され、各端末装置２ａ〜２ｄの音声処理部２２により復号化されてＨＳ２７の受話器２７ａから出力される。これにより、ＨＳ２７を用いた端末装置２ａ〜２ｄ間の会議通話が実現される（ステップＳ１９〜Ｓ２２）。
【００３７】
＜通話動作＞
次に、図５を参照して、会議通話中の通話動作について説明する。この図５においては、端末装置２ａ〜２ｄ間で会議通話が行われている際に、端末装置２ｃから端末装置２ｄに対して発信する場合を例に説明する。なお、図５において、端末装置２ａ〜２ｄ間による会議通話を開始するまでの動作（ステップＳ１〜Ｓ２１）については、図４と同等の符号を付し、適宜説明を省略する。
【００３８】
端末装置２ａ〜２ｄで会議通話が行われている状態において（ステップＳ１８〜Ｓ２１）、端末装置２ｄのユーザが同じ会議通話の参加者である端末装置２ｃのユーザと会議通話とは別に個別に通話を行う場合、例えば保留ボタンを押下することにより会議サーバ１との会議通話を保留にした後、例えば端末装置２ｄの電話番号をダイヤルするなどの端末装置２ｄに対する発信操作を行う。これらの操作入力を操作入力部２３が検出すると（ステップＳ３１，Ｓ３２）、制御部２６の呼制御部２６ａは、ＳＩＰサーバ３に対して端末装置２ｃとの通話を要求する旨の制御信号（発信要求）を送信する（ステップＳ３３）。このとき、確認部２６ｂは、当該発信要求に記憶部２５に識別情報２５ｂとして記憶された会議番号を付与する。
【００３９】
発信要求を受信すると、ＳＩＰサーバ３は、端末装置２ｃに対して、端末装置２ｃから通話が要求されている旨を示す制御信号（発信要求応答）を送信する（ステップＳ３４）。この発信要求応答には、ＩＰアドレス等などの発信を行った端末装置２ｃを識別する情報とともに、端末装置２ｃから送信された発信要求に付与された会議番号が含まれている。
【００４０】
発信要求応答を受信すると、端末装置２ｃの確認部２６ｂは、発信を行った端末装置が同じ会議通話の参加者であるか否かを確認する（ステップＳ３５）。この確認は、発信要求応答に含まれる会議番号が、端末装置２ｃの記憶部２５に識別情報２５ｂとして記憶されている会議番号と同一であるか否かを比較することにより行われる。同一である場合、確認部２６ｂは、着信を表示部２４に表示させる。一方、同一でない場合、確認部２６ｂは、着信を表示部２４に表示させない。これにより、同一の会議通話の参加者のみと通話を行わせることができる。
【００４１】
本実施の形態の場合、会議番号が同一であるので、端末装置２ｃの確認部２６ｂは、ＬＥＤを点灯させたりＬＣＤに着信が入った旨を表示させるなど表示部２４に端末装置２ｄから着信が入った旨を表示させる（ステップＳ３６）。この表示に基づいて、例えば特定のキーを押下するなど端末装置２ｄからの着信に応答するための操作入力を操作入力部２３が検出すると（ステップＳ３７）、端末装置２ｃの呼制御部２６ａは、端末装置２ｃからの着信に応答する旨の制御信号（応答要求）をＳＩＰサーバ３に送信する（ステップＳ３８）。この制御信号を受信すると、ＳＩＰサーバ３は、端末装置２ｄに対して端末装置２ｃが通話に応じる旨を示す制御信号（応答要求応答）を送信する（ステップＳ３９）。すると、端末装置２ｃと端末装置２ｄの呼制御部２６ａは、Ｉ／Ｆ部２１およびネットワーク４を介して互いの間で通話パスを形成する。
【００４２】
呼制御部２６ａにより会議サーバ１およびこの会議サーバ１を用いた会議通話に参加している端末装置２と通話パスが確立されると、端末装置２ｃ，２ｄの切替部２６ｃは、音声処理部２２により、会議サーバ１から受信した会議データに基づく音声信号の出力先をＨＳ２７の受話器２７ａからＳＰ２８に切り替えるとともに、無音パケットを会議サーバ１に送信させる（ステップＳ４０〜Ｓ４５）。これにより、端末装置２ｃ，２ｄのＳＰ２８からは、会議サーバ１から受信した会議データに基づく音声信号、すなわち会議通話の音声が出力される。また、会議サーバ１に対しては、端末装置２ｃ，２ｄのＨＳ２７の送話器２７ｂに入力された音声信号に基づく音声データが出力されない。
【００４３】
また、端末装置２ｃ，２ｄの切替部２６ｃは、音声処理部２２により、端末装置２ｃまたは端末装置２ｄから受信した音声データに基づく音声信号の出力先をＨＳ２７の受話器２７ａとするとともに、ＨＳ２７の送話器２７ｂから入力された音声信号に基づく音声データを端末装置２ｃまたは端末装置２ｄに送信する。したがって、端末装置２ｃと端末装置２ｄとの間で音声データの送受信が行われると（ステップＳ４６）、端末装置２ｃの送話器２７ｂから入力された音声信号が端末装置２ｄの受話器２７ａから出力されるとともに、端末装置２ｄの送話器２７ｂから入力された音声信号が端末装置２ｃの受話器２７ａから出力される。これにより、端末装置２ｃと端末装置２ｄの間で、それぞれのＨＳ２７を用いた個別の通話が実現される（ステップＳ４７，Ｓ４８）。
【００４４】
このように、本実施の形態によれば、同じ会議通話に参加している端末装置２ｃと端末装置２ｄとの間で会議通話とは別の個別の通話が行われると、会議サーバ１から受信した音声データに基づく音声信号の出力先がＨＳ２７の受話器２７ａからＳＰ２８に切り替わり、このＳＰ２８から会議通話が出力される。これにより、端末装置２ｄのユーザは、会議通話を聞くことができるので、会議通話に参加している端末装置２と通話中であっても会議通話の内容について行くことが可能となる。また、端末装置２ｃ，２ｄの送話器２７ｂに入力された音声信号に基づく音声データは、会議サーバ１に出力されないので、会議サーバ１により生成される会議データには端末装置２ｃ，２ｄからの音声データが含まれない。これにより、会議通話者に聞かれることなく端末装置２ｃと端末装置２ｄとの間の個別の通話が可能となる。
【００４５】
＜終話動作＞
会議通話中に端末装置２ｄと個別の通話を行っている端末装置２ｃにおいて、当該通話を終了する旨の操作入力を操作入力部２３が検出すると（ステップＳ５１）、制御部２６の呼制御部２６ａは、ＳＩＰサーバ３に対して当該通話を終了する旨の制御信号（終話要求）を送信する（ステップＳ５２）。この制御信号を受信すると、ＳＩＰサーバ３は、端末装置２ｄに対して、端末装置２ｃとの通話を終話にする旨を示す制御信号（終話要求応答）を送信する（ステップＳ５３）。すると、端末装置２ｃと端末装置２ｄとの通話パスが切断され、端末装置２ｃと端末装置２ｄとの通話が終了する（ステップＳ５４．Ｓ５５）。
【００４６】
それぞれ同一の会議通話に参加している端末装置２ｃ，２ｄの通話が終了すると、端末装置２ｃ，２ｄの切替部２６ｃは、音声処理部２２により、会議サーバ１から受信した会議データに基づく音声信号の出力先をＳＰ２８からＨＳ２７の受話器２７ａに切り替えるとともに、ＨＳ２７の送話器２７ｂから入力される音声信号に基づく音声データの出力先を会議サーバ１に切り替える（ステップＳ５６，Ｓ５７）。これにより、会議サーバ１と端末装置２ｃ，２ｄとの間で音声データの送受信が行われると（ステップＳ５８，Ｓ５９）、端末装置２ｃ，２ｄの送話器２７ｂから入力された音声信号に基づく音声データが会議サーバ１に出力されるとともに、会議サーバ１から入力された会議データに基づく音声信号が端末装置２ｃ，２ｄの受話器２７ａから出力されるので、端末装置２ｃ，２ｄにおいてＨＳ２７を用いた会議通話が実現される（ステップＳ６０，Ｓ６１）。
【００４７】
このように、本実施の形態によれば、同一の会議通話に参加している端末装置２ｃと端末装置２ｄと間の個別の通話が終了すると、端末装置２ｃおよび端末装置２ｄは、会議サーバ１から受信した会議データに基づく音声信号の出力先をＳＰ２８からＨＳ２７の受話器２７ａに切り替わるとともに、ＨＳ２７の送話器２７ｂから入力される音声信号に基づく音声データの出力先を会議サーバ１に切り替える。これにより、端末装置２ｃ，２ｄにより生成された音声データを含む会議データが生成され、これが端末装置２ｃ，２ｄから出力されるので、端末装置２ｃ，２ｄのユーザは、会議通話に復帰することができる。このとき、端末装置２ｃ，２ｄのユーザは、端末装置２ｃまたは端末装置２ｄとの通話中に会議通話の内容を聞くことができていたので、会議通話に復帰したときに円滑に会議通話の内容について行くことが可能となる。
【００４８】
なお、本実施の形態では、同一の会議通話の参加者であるか否かを会議番号に基づいて判断するようにしたが、会議リストに基づいて判断するようにしてもよい。この会議リストとは、同一の会議通話に参加する端末装置２の一覧からなり、例えばＩＰアドレス、電話番号、内線番号、氏名など各端末装置２を識別するための情報を含むものである。このような会議リストは、会議サーバ１の制御部１３の識別情報生成部１３ｂにより、ＳＩＰサーバ３から受信する情報に基づいて生成することができる。
【００４９】
本実施の形態において、上記会議リストを用いる場合は、会議サーバ１の識別情報生成部１３ｂにより会議リストを生成し、これを上記ステップＳ１１〜Ｓ１４で端末装置２ａ〜２ｄに送信して端末装置２ａ〜２ｄの記憶部２５に記憶させる。
【００５０】
会議リストを用いて発信操作を行う場合、端末装置２ａ〜２ｄの確認部２６ｂは、会議リストに基づいて同一の会議通話の参加者を表示部２４に表示させ、この中から通話を行う端末装置２ａ〜２ｄをユーザに選択させる。発信する端末装置を特定するユーザの操作入力を操作入力部２３が検出すると、制御部２６の呼制御部２６ａは、ＳＩＰサーバ３に対してユーザが選択した端末装置２との通話を要求する旨の制御信号（発信要求）を送信する。このようにすることにより、会議通話の参加者と通話を行うことが可能となる。
【００５１】
一方、会議リストを用いて着信応答操作を行う場合、端末装置２ａ〜２ｄの確認部２６ｂは、会議リストに基づいて着信が入った相手装置が会議通話の参加者であるか否かを判断する。この判断は、着信が入った相手装置が会議リストに含まれているか否か比較することにより行われる。確認部２６ｂは、会議リストに含まれる場合には着信を表示部２４に表示させ、会議リストに含まれない場合には着信を表示部２４に表示させない。このようにしても、同一の会議通話の参加者のみと通話を行わせることができる。
【００５２】
また、本実施の形態においては、４つの端末装置２ａ〜２ｄにより会議通話を行うようにしたが、会議通話に参加する端末装置の数量は４つに限定されず、適宜自由に設定することができる。
【００５３】
また、本実施の形態においては、会議通話中にこの会議に参加している端末装置２と通話を行う場合、会議データに基づく音声信号をＳＰ２８から出力するようにしたが、ＨＳ２７の受話器２７ａから通話相手の端末装置２から受信する音声データに基づく音声信号と混ぜて出力するようにしてもよい。また、音声処理部２２において、音声データおよび音声信号のやりとりを行う通話パスを切り替えながら、会議データに基づく音声信号をＳＰ２８から出力するようにしてもよい。これにより、複数の通話パスは確立しているものの、一度に出力することができる音声信号の数が限られている場合であっても、会議通話中に通話の内容を聞かれることなく他の相手と通話を行うことが可能となる。
【産業上の利用可能性】
【００５４】
本発明は、同時に複数の装置と音声データの送受信を行うことができるシステムや端末装置に適用することができる。
【図面の簡単な説明】
【００５５】
【図１】本発明に係る会議システムの構成を示す模式図である。
【図２】会議サーバの構成を示すブロック図である。
【図３】端末装置の構成を示すブロック図である。
【図４】会議通話を開始する際の動作を示すタイミングチャートである。
【図５】会議通話中に発信を行った端末装置の動作を示すタイミングチャートである。
【符号の説明】
【００５６】
１…会議サーバ、２，２ａ〜２ｄ…端末装置、３…ＳＩＰサーバ、４…ネットワーク、１１ａ〜１１ｄ…Ｉ／Ｆ部、１１ａ−１〜１１ｄ−１…通信回線、１２…編集処理部、１３…制御部、１３ａ…動作制御部、１３ｂ…識別情報生成部、２１…Ｉ／Ｆ部、２１ａ…通信回線、２２…音声処理部、２３…操作入力部、２４…表示部、２５…記憶部、２５ａ…制御データ、２５ｂ…識別情報、２５ｃ…プログラム、２６…制御部、２６ａ…呼制御部、２６ｂ…確認部、２６ｃ…切替部、２７…ＨＳ、２７ａ…受話器、２７ｂ…送話器、２８…ＳＰ。
【図１】
2008258690.tif 000003
【図２】
2008258690.tif 000004
【図３】
2008258690.tif 000005
【図４】
2008258690.tif 000006
【図５】
2008258690.tif 000007